(57)【要約】【課題】複数台の移動機のハンドオーバを従来よりも簡単に支援する。【解決手段】  所定の期間に無線基地局２ＡＢへのハンドオーバを行う携帯電話端末１Ａ、１Ｂ、１Ｃを同一のグループにグループ化する処理を無線ネットワーク制御装置３Ａに実行させる（図６の＃３２８）。その後、携帯電話端末１Ａが無線基地局２ＡＣへのハンドオーバを行う際に、携帯電話端末１Ａのグループに所属する全携帯電話端末１つまり１Ａ、１Ｂ、１Ｃの識別情報を無線基地局２ＡＣに通知する処理を無線ネットワーク制御装置３Ａに実行させる（＃３１０）。【選択図】図７
2008211359.tif 000002
【特許請求の範囲】
【請求項１】
無線ネットワーク制御装置に、
所定の期間に同一の無線基地局へのハンドオーバを行う複数台の移動機を同一のグループにグループ化するグループ化処理と、
移動機が無線基地局へのハンドオーバを行う際に、当該移動機の識別情報および当該移動機と同一のグループに所属する他の移動機の識別情報を当該無線基地局に通知する通知処理と、
を実行させる、
ことを特徴とする移動機のハンドオーバの支援方法。
【請求項２】
無線基地局に、
無線ネットワーク制御装置から通知された複数の識別情報それぞれに係る移動機のためのリソースを確保するリソース確保処理を実行させる、
請求項１記載の移動機のハンドオーバの支援方法。
【請求項３】
無線ネットワーク制御装置に、
同一のグループに所属する一部の移動機が所定の期間に同一の無線基地局にハンドオーバを行ったが残りの移動機が当該所定の期間に当該無線基地局にハンドオーバを行わなかった場合に、当該一部の移動機または当該残りの移動機のいずれか一方を当該グループから除外する除外処理を実行させる、
請求項２記載の移動機のハンドオーバの支援方法。
【請求項４】
前記除外処理においては、同一のグループに所属する一部の移動機と残りの移動機とのうち、台数の少ないほうを当該グループから除外する、
請求項３記載の移動機のハンドオーバの支援方法。
【請求項５】
無線基地局に、
無線ネットワーク制御装置から通知された複数の識別情報それぞれに係る移動機のためのリソースを確保した後、所定の期間を経過しても当該無線基地局へのハンドオーバが行われない移動機がある場合は、当該移動機のためのリソースを開放するリソース開放処理を実行させる、
請求項２ないし請求項４のいずれかに記載の移動機のハンドオーバの支援方法。
【請求項６】
複数の無線基地局を制御する無線ネットワーク制御装置であって、
前記無線基地局のうちの特定の１台へのハンドオーバを所定の期間に行う複数台の移動機を同一のグループにグループ化するグループ化処理手段と、
移動機が前記無線基地局へのハンドオーバを行う際に、当該移動機の識別情報および当該移動機と同一のグループに所属する他の移動機の識別情報を当該無線基地局に通知する通知手段と、
を有することを特徴とする無線ネットワーク制御装置。
【請求項７】
無線ネットワーク制御装置から通知された複数の識別情報それぞれに係る移動機のためのリソースを確保するリソース確保手段と、
前記無線ネットワーク制御装置から通知された複数の識別情報それぞれに係る移動機のためのリソースを確保した後、所定の期間を経過してもハンドオーバを行わない移動機がある場合は、当該移動機のためのリソースを開放する、リソース開放処理手段と、
を有することを特徴とする無線基地局。
【請求項８】
複数の無線基地局を制御する無線ネットワーク制御装置のために用いられるコンピュータプログラムであって、
当該無線ネットワーク制御装置に、
前記無線基地局のうちの特定の１台へのハンドオーバを所定の期間に行う複数台の移動機を同一のグループにグループ化する処理を実行させ、
移動機が前記無線基地局へのハンドオーバを行う際に、当該移動機の識別情報および当該移動機と同一のグループに所属する他の移動機の識別情報を当該無線基地局に通知する処理を実行させる、
ことを特徴とするコンピュータプログラム。
【発明の詳細な説明】
【技術分野】
【０００１】
本発明は、無線通信システムにおける移動機のハンドオーバの支援方法、無線ネットワーク制御装置、および無線基地局などに関する。
【背景技術】
【０００２】
近年、無線通信の移動機が普及している。特に、携帯電話端末の普及率は非常に高く、持っていない人のほうが珍しくなりつつある。
【０００３】
電車またはバスなどの乗物の走行中、乗客の移動機が一斉に、ある無線基地局から別の無線基地局へのハンドオーバを行う。一斉にハンドオーバを行う台数は、普及率の向上とともに増加している。
【０００４】
多数の移動局が同一の無線基地局へのハンドオーバの要求を一斉に行うと、その無線基地局および上位のノードに一時的に大きな負荷が掛かってしまう。
【０００５】
そこで、特許文献１、２に記載されるような方法を用いることが考えられる。特許文献１に記載される方法によると、乗物ごとに基地局対向送受信装置を設けておく。基地局対向送受信装置は、その乗物の空間内のｎ台の移動局から位置登録要求が発せられると、位置登録動作を、ｎ台の移動局を代表して実行する。これにより、位置登録の回数を１／ｎに軽減する。
【０００６】
特許文献２に記載される方法によると、通信端末を通信端末同士の自律した通信によってグループ化し、それら複数の通信端末を１つの通信端末で代表させ、通信制御装置を介して実効的に管理する通信端末数を削減することで通信システムの処理量を削減する。各通信端末は前記通信制御装置を介さずに通信端末同士で情報を送受信する通信手段を有し、この送受信の結果予め定められた条件が充足すると通信端末は接続されている通信制御装置を介してサービス制御装置に格納されている通信を行うための接続情報を変更する。
【特許文献１】特開平１１−４６３８０号公報
【特許文献２】特開２００２−１６５２７２号公報
【発明の開示】
【発明が解決しようとする課題】
【０００７】
しかし、特許文献１に記載される方法によると、乗物ごとに基地局対向送受信装置を設けなければならない。そのためには、多くの費用および工数を必要とする。しかも、乗物は日中、営業のために各地を移動しているので、基地局対向送受信装置のメンテナンスは、限られた時間帯にしか行うことができない。
【０００８】
特許文献２に記載される方法によると、移動機ごとに、移動機同士による自律した通信を行うための手段を設けなければならない。しかし、ユーザから移動機の小型化および省電力化が強く求められているので、移動機に設ける手段の数をあまり増やしたくない。しかも、移動機の台数は上述の乗物よりもはるかに多いので、メンテナンスを行うことが一層難しい。
【０００９】
本発明は、このような問題点に鑑み、従来よりも簡単に、複数台の移動機のハンドオーバを支援できるようにすることを、目的とする。
【課題を解決するための手段】
【００１０】
本発明に係る移動機のハンドオーバの支援方法は、無線ネットワーク制御装置に、所定の期間に同一の無線基地局へのハンドオーバを行う複数台の移動機を同一のグループにグループ化するグループ化処理と、移動機が無線基地局へのハンドオーバを行う際に、当該移動機の識別情報および当該移動機と同一のグループに所属する他の移動機の識別情報を当該無線基地局に通知する通知処理と、を実行させる、ことを特徴とする。
【００１１】
好ましくは、無線基地局に、無線ネットワーク制御装置から通知された複数の識別情報それぞれに係る移動機のためのリソースを確保するリソース確保処理を実行させる。
【００１２】
または、無線ネットワーク制御装置に、同一のグループに所属する一部の移動機が所定の期間に同一の無線基地局にハンドオーバを行ったが残りの移動機が当該所定の期間に当該無線基地局にハンドオーバを行わなかった場合に、当該一部の移動機または当該残りの移動機のいずれか一方を当該グループから除外する除外処理を実行させてもよい。
【００１３】
前記除外処理においては、同一のグループに所属する一部の移動機と残りの移動機とのうち、台数の少ないほうを当該グループから除外する。
【００１４】
無線基地局に、無線ネットワーク制御装置から通知された複数の識別情報それぞれに係る移動機のためのリソースを確保した後、所定の期間を経過しても当該無線基地局へのハンドオーバが行われない移動機がある場合は、当該移動機のためのリソースを開放するリソース開放処理を実行させてもよい。
【発明の効果】
【００１５】
本発明によると、従来よりも簡単に、複数台の移動機のハンドオーバを支援することができる。
【発明を実施するための最良の形態】
【００１６】
図１は携帯電話システム１００の全体的な構成の例を示す図、図２は無線基地局２の構成を例を示す図、図３は無線ネットワーク制御装置３の構成の例を示す図である。
【００１７】
図１に示すように、携帯電話システム１００は、ＣＤＭＡ２０００またはＷ−ＣＤＭＡなどの規格に基づく無線通信システムであって、携帯電話端末１、無線基地局２、無線ネットワーク制御装置３、関門移動交換局４、移動交換局５、およびホームロケーションレジスタ６などによって構成される。
【００１８】
携帯電話端末１は、携帯電話システム１００における移動局であって、従来通り、無線基地局２および無線ネットワーク制御装置３などを介して他の携帯電話端末または固定電話機などと接続し通信を行う。「移動機」、「ＵＥ（User Equipment）」、または「ＭＳ（Mobile Station）」などと呼ばれることもある。以下、各携帯電話端末１を「携帯電話端末１Ａ」、「携帯電話端末１Ｂ」、「携帯電話端末１Ｃ」、…などと区別して記載することがある。
【００１９】
無線基地局２は、携帯電話端末１の接続を制御する無線局であって、従来の無線基地局と同様に、携帯電話端末１から発信されたデータを上位装置に中継しまたは上位装置から転送されてきたデータを携帯電話端末１に中継する。「Ｎｏｄｅ−Ｂ」、「ＢＳ（Base Station）」、または「ＢＴＳ（Base Transfer Station）」などと呼ばれることもある。
【００２０】
無線基地局２は、図２に示すように、電波送信部２０１、電波受信部２０２、信号送信部２０３、信号受信部２０４、無線制御部２０５、受信信号解析部２０６、および信号編集部２０７などによって構成される。
【００２１】
電波送信部２０１、電波受信部２０２、信号送信部２０３、信号受信部２０４、および無線制御部２０５は、従来と同様に、携帯電話端末１および無線ネットワーク制御装置３と通信を行うための処理を行う。
【００２２】
すなわち、電波送信部２０１は、携帯電話端末１に対して制御信号または中継の対象のデータを電波によって送信する。信号送信部２０３は、無線ネットワーク制御装置３に対して制御信号を送信する。または、携帯電話端末１からのデータを無線ネットワーク制御装置３に中継する。
【００２３】
電波受信部２０２は、携帯電話端末１から発信された電波を受信する。信号受信部２０４は、無線ネットワーク制御装置３から送信された制御信号を受信する。または、携帯電話端末１に中継するデータを無線ネットワーク制御装置３から受信する。
【００２４】
無線制御部２０５は、電波受信部２０２または信号受信部２０４によって受信された制御信号に基づいて、携帯電話端末１または無線ネットワーク制御装置３に対して制御信号または中継の対象のデータが送信されるように電波送信部２０１または信号送信部２０３を制御する。
【００２５】
さらに、無線制御部２０５は、上記の従来の処理に加え、グループのための制御信号が送信されるように電波送信部２０１または信号送信部２０３を制御する。
【００２６】
ところで、「グループ」とは、所定の期間におけるセルからセルへの移動が同一である複数の携帯電話端末１によって構成されるグループである。どの携帯電話端末１を１つのグループにグループ化するのかは、後述するユーザグループ制御部３２によって決められる。通常は、例えば、同じ乗物（列車またはバスなど）に乗車している乗客の携帯電話端末１が１つのグループにグループ化される。
【００２７】
受信信号解析部２０６は、受信された制御信号を解析する処理を行う。信号編集部２０７は、送信用の信号またはデータを編集する処理を行う。本実施形態では、受信信号解析部２０６および信号編集部２０７は、従来の制御信号に加えて、複数台の携帯電話端末１からなるグループのための制御信号に関する処理を行う。
【００２８】
無線制御部２０５、受信信号解析部２０６、および信号編集部２０７におけるグループのための処理の内容は、後にフローチャートを参照しながら説明する。
【００２９】
図１に戻って、無線ネットワーク制御装置３は、無線基地局２の制御および携帯電話端末１のハンドオーバの制御などを行う。「ＲＮＣ（Radio Network Controller）」または「基地局制御装置」などと呼ばれることもある。
【００３０】
無線ネットワーク制御装置３は、無線基地局２、関門移動交換局４、および他の無線ネットワーク制御装置３と通信を行うための通信モジュールのほか、図３に示す端末制御部３１、ユーザグループ制御部３２、対向ノード制御部３３、およびタイマ３４などの機能を実現するためのハードウェアおよびソフトウェアによって構成される。
【００３１】
端末制御部３１は、端末データ記憶部３１１、端末データ制御部３１２、グループ処理要求部３１３、セル変更端末通知部３１４、および信号送信制御部３１５などによって構成され、携帯電話端末１の制御に関する処理を行う。
【００３２】
端末データ記憶部３１１は、その無線ネットワーク制御装置３の配下の無線基地局２を接続先としている携帯電話端末１ごとの端末データ７Ｔを記憶する。端末データ７Ｔには、その携帯電話端末１の識別子、接続先としている無線基地局２の識別子、および所属するグループの識別子などが示される。そのほか、後述する無線制御ＩＤが示されることもある。以下、携帯電話端末１の識別子、無線基地局２の識別子、およびグループの識別子を、それぞれ、「端末ＩＤ」、「セルＩＤ」、および「グループＩＤ」と記載する。
【００３３】
端末データ制御部３１２は、端末データ記憶部３１１に記憶されている端末データ７Ｔを呼び出し、更新し、または削除したり、新たな端末データ７Ｔを端末データ記憶部３１１に記憶させたりするなど、端末データ７Ｔの制御を行う。
【００３４】
グループ処理要求部３１３は、グループに関する処理を開始するようにユーザグループ制御部３２に対して要求する。
【００３５】
セル変更端末通知部３１４は、ハンドオーバを行う携帯電話端末１の端末ＩＤを、新たに接続先となる無線基地局２に通知する。
【００３６】
信号送信制御部３１５は、携帯電話端末１を制御するための制御信号がその携帯電話端末１に送信されるように通信モジュールを制御する。
【００３７】
端末データ記憶部３１１ないし信号送信制御部３１５が具体的にどのようなタイミングでどのような処理の内容を行うのかは、後にフローチャートを参照しながら説明する。
【００３８】
ユーザグループ制御部３２は、グループデータ記憶部３２１、グループデータ制御部３２２、同一グループ端末判別部３２３、およびタイマ管理部３２４などによって構成され、グループに関する処理を行う。
【００３９】
グループデータ記憶部３２１は、グループごとのグループデータ７Ｇを記憶する。グループデータ７Ｇには、そのグループのグループＩＤ、そのグループに所属する各携帯電話端末１の端末ＩＤ、および使用するタイマ３４の識別情報などが示される。さらに、グループデータ７Ｇには、そのグループに所属する携帯電話端末１の現在の管理状態（接続先の無線基地局２のセルＩＤおよび無線制御ＩＤなど）が示されることがある。
【００４０】
グループデータ制御部３２２は、グループデータ記憶部３２１に記憶されているグループデータ７Ｇを呼び出し、更新し、または削除したり、新たなグループデータ７Ｇをグループデータ記憶部３２１に記憶させたりするなど、グループデータ７Ｇの制御を行う。
【００４１】
同一グループ端末判別部３２３は、タイマ管理部３２４およびタイマ３４と連携し、同一のグループに所属する携帯電話端末１を判別する。
【００４２】
タイマ管理部３２４は、タイマ３４が示す時間をリセットし、タイマ３４に計時を開始させ、または、グループのメンバを判断するための基準の時間（以下、「グループ基準時間Ｔａ」と記載する。）がタイマ３４によって計時されたことを検知するなど、タイマ３４の管理の処理を行う。
【００４３】
グループデータ記憶部３２１ないしタイマ管理部３２４が具体的にどのようなタイミングでどのような処理を行うのかは、後にフローチャートを参照しながら説明する。
【００４４】
対向ノード制御部３３は、信号編集処理部３３１、信号送信制御部３３２、および受信信号解析部３３３などによって構成され、携帯電話端末１の新たな接続先である無線基地局２またはその無線基地局２を配下に置く他の無線ネットワーク制御装置３を制御する。以下、携帯電話端末１の新たな接続先である無線基地局２またはその無線基地局２を配下に置く他の無線ネットワーク制御装置３を「対向ノード」と記載する。
【００４５】
信号編集処理部３３１は、対向ノードに送信するための制御信号の編集を行う。信号送信制御部３３２は、信号編集処理部３３１によって編集された制御信号が対向ノードに送信されるように通信モジュールを制御する。
【００４６】
受信信号解析部３３３は、対向ノードからの制御信号を解析することによって、ハンドオーバを行う携帯電話端末１のためのリソースがその対向ノードにおいて捕捉（確保）されたことを確認する。
【００４７】
そのほか、無線基地局２および無線ネットワーク制御装置３には、従来通り、ハンドオーバを行う携帯電話端末１を新たに管理するためのリソースを捕捉するための手段が設けられている。さらに、この手段は、グループに所属する複数の携帯電話端末１を新たに管理するためのリソースをまとめて捕捉する。
【００４８】
以下、各無線ネットワーク制御装置３を「無線ネットワーク制御装置３Ａ」、「無線ネットワーク制御装置３Ｂ」、…などと区別して記載することがある。また、無線ネットワーク制御装置３Ａの配下の無線基地局２を「無線基地局２ＡＡ」、「無線基地局２ＡＢ」、「無線基地局２ＡＣ」、…などと区別して記載することがある。他の無線ネットワーク制御装置３の配下の無線基地局２についても同様に、区別して記載することがある。
【００４９】
関門移動交換局４、移動交換局５、およびホームロケーションレジスタ６として、それぞれ、従来の関門移動交換局、移動交換局、およびホームロケーションレジスタが用いられる。それぞれ、「ＭＳＣ（Mobile Switching Center）」、「ＧＳＮ（GPRS Support Node）」、および「ＨＬＲ（Home Location Register）」と呼ばれることがある。
【００５０】
次に、図２に示す無線基地局２の各部および図３に示す無線ネットワーク制御装置３の各部の処理の詳細を、具体例に基づいてフローチャートを参照しながら説明する。
【００５１】
〔新規のグループの設定およびグループ単位のハンドオーバ〕
図４は携帯電話端末１の移動の例を説明する図、図５ないし図８は新規のグループの設定およびグループ単位のハンドオーバのための処理の流れの例を説明するフローチャートである。
【００５２】
今、ある１台のバスに、携帯電話端末１Ａ、１Ｂ、１Ｃを携帯している３人の乗客が乗り込んだとする。携帯電話端末１Ａ、１Ｂ、１Ｃの現在の接続先は、無線基地局２ＡＡであり、無線基地局２ＡＡを介して通信を行うことができる。
【００５３】
このとき、無線基地局２ＡＡを配下に有する無線ネットワーク制御装置３つまり無線ネットワーク制御装置３Ａにおいて、端末制御部３１（図３参照）の端末データ記憶部３１１には、携帯電話端末１Ａ、１Ｂ、１Ｃそれぞれの端末データ７Ｔが記憶されている。
【００５４】
バスが発車すると、携帯電話端末１Ａ、１Ｂ、１Ｃは、同一の方向に進む（図４の丸数字１）。やがて、携帯電話端末１Ａ、１Ｂ、１Ｃは、無線基地局２ＡＢのセルに進入するとともに、無線基地局２ＡＡのセルの外へ出ようとする（図４の丸数字２）。
【００５５】
携帯電話端末１Ａ、１Ｂ、１Ｃは、そのことを検知すると、従来通り、無線基地局２ＡＢへのハンドオーバの制御信号を無線ネットワーク制御装置３Ａに発信する。
【００５６】
まず、携帯電話端末１Ａは、無線基地局２ＡＡのセルを出ようとしていることおよび無線基地局２ＡＢのセルに進入したことを検知すると（図５の＃１０１）、ハンドオーバの制御信号を発信する（＃１０２）。
【００５７】
無線基地局２ＡＡを配下に有する無線ネットワーク制御装置３つまり無線ネットワーク制御装置３Ａにおいて、その制御信号が受信されると（＃３０１）、端末制御部３１のグループ処理要求部３１３は、発信元が現在所属しているグループを、その発信元の端末データ７Ｔ（つまり、携帯電話端末１Ａの端末データ７Ｔ）に基づいて検知し（＃３０２）、その発信元のためのグループの処理を行うようにユーザグループ制御部３２に対して要求する（＃３０３）。この際に、発信元の現在のグループをユーザグループ制御部３２に通知する。今回は、いずれのグループにも所属していないことを通知する。
【００５８】
発信元つまり携帯電話端末１Ａがいずれのグループにも所属おらずかつタイマ３４がスタートしていない場合は、ユーザグループ制御部３２のグループデータ制御部３２２およびタイマ管理部３２４は、次のような処理を行う。
【００５９】
グループデータ制御部３２２は、新たなグループを生成し（＃３０４）、そのグループのグループデータ７Ｇをグループデータ記憶部３２１に記憶させる（＃３０５）。そのグループデータ７Ｇには、そのグループのグループＩＤおよび携帯電話端末１Ａの端末ＩＤが示される。これにより、携帯電話端末１Ａがそのグループに登録される。タイマ管理部３２４は、タイマ３４をリセットしスタートさせる（＃３０６）。
【００６０】
生成されたグループのグループＩＤが端末制御部３１に通知されると（＃３０７）、端末制御部３１の端末データ制御部３１２は、携帯電話端末１Ａの端末データ７Ｔを、そのグループＩＤおよびハンドオーバ先（つまり、新たな接続先となる無線基地局２ＡＢ）のセルＩＤ示されるように、更新する（＃３０８）。
【００６１】
以下、携帯電話端末１Ａのハンドオーバのための処理は、従来通りに行われる。つまり、セル変更端末通知部３１４が携帯電話端末１Ａの端末ＩＤを対向ノード制御部３３に対して通知すると（＃３０９）、対向ノード制御部３３の信号編集処理部３３１は携帯電話端末１Ａとの接続を行うように要求する信号（方路無線接続制御信号）を編集し、信号送信制御部３３２はそれが無線基地局２ＡＢに送信されるように通信モジュールを制御する（＃３１０）。
【００６２】
無線基地局２ＡＢにおいて携帯電話端末１Ａとの接続のためのリソースが捕捉され、制御信号が返信されてくると（＃３１１）、受信信号解析部３３３はそれを解析することによって、携帯電話端末１Ａが無線基地局２ＡＢにハンドオーバできることを確認し、その旨を端末制御部３１に通知する（＃３１２）。
【００６３】
端末制御部３１の信号送信制御部３１５は、無線基地局２ＡＢにハンドオーバを行うように指令する制御信号を、携帯電話端末１Ａに宛てて送信させる（＃３１３）。そして、携帯電話端末１Ａは、無線基地局２ＡＡから無線基地局２ＡＢへのハンドオーバを完了する。
【００６４】
携帯電話端末１Ｂも、携帯電話端末１Ａと同様に、無線基地局２ＡＡのセルを出ようとしていることおよび無線基地局２ＡＢのセルに進入したことを検知すると（＃１０３）、ハンドオーバの制御信号を発信する（＃１０４）。
【００６５】
無線ネットワーク制御装置３Ａにおいて、その制御信号が受信されると（＃３１４）、端末制御部３１のグループ処理要求部３１３は、携帯電話端末１Ａの場合と同様に、発信元が現在所属しているグループを、その発信元の端末データ７Ｔ（つまり、携帯電話端末１Ｂの端末データ７Ｔ）に基づいて検知し（＃３１５）、その発信元のためのグループの処理を行うようにユーザグループ制御部３２に対して要求する（＃３１６）。この際に検知結果を通知するが、今回は、携帯電話端末１Ｂがいずれのグループにも所属していないことを通知する。
【００６６】
ユーザグループ制御部３２のグループデータ制御部３２２は、携帯電話端末１Ａの場合（つまり、タイマ３４がスタートしておらず、かつ、いずれのグループにも所属していない場合）は、新たにグループを生成し、そのグループに発信元を所属させた。しかし、タイマ３４が計時中であり、かつ、発信元（ここでは、携帯電話端末１Ｂ）が携帯電話端末１Ａと同一のハンドオーバを行おうとしている場合は、同一グループ端末判別部３２３によって携帯電話端末１Ｂが携帯電話端末１Ａと同一のグループであると判別される。そして、グループデータ制御部３２２は、携帯電話端末１Ｂをそのグループに登録する（図６に進んで＃３１７）。つまり、そのグループのグループデータ７Ｇに、携帯電話端末１Ｂの端末ＩＤを追記する。
【００６７】
そのグループのグループＩＤが端末制御部３１に通知されると（＃３１８）、携帯電話端末１Ａの場合と同様に、端末データ制御部３１２は、携帯電話端末１Ｂの端末データ７Ｔを、ハンドオーバ先（つまり、新たな接続先となる無線基地局２ＡＢ）のセルＩＤおよびそのグループＩＤが示されるように、更新する（＃３１９）。それ以降の処理も、携帯電話端末１Ａの場合と同様に行われる（＃３２０〜＃３２４）。そして、携帯電話端末１Ｂは、無線基地局２ＡＡから無線基地局２ＡＢへのハンドオーバを完了する。
【００６８】
携帯電話端末１Ｃも、タイマ３４による計時が継続している間に、携帯電話端末１Ｂと同様に、無線基地局２ＡＡのセルを出ようとしていることおよび無線基地局２ＡＢのセルに進入したことを検知すると（＃１０５）、ハンドオーバの制御信号を発信する（＃１０６）。
【００６９】
すると、無線ネットワーク制御装置３Ａおよび無線基地局２ＡＢの各部は、携帯電話端末１Ｂの場合と同様の処理を行う（＃３２５〜図７の＃３３４）。そして、携帯電話端末１Ｃは、無線基地局２ＡＡから無線基地局２ＡＢへのハンドオーバを完了する。
【００７０】
タイマ管理部３２４は、タイマ３４がグループ基準時間Ｔａを計時したことを検知すると、タイマ３４を停止させる（＃３３５）。
【００７１】
つまり、グループ基準時間Ｔａの間に、無線基地局２ＡＡのセルから無線基地局２ＡＢのセルへのハンドオーバを行う携帯電話端末１を、１つのグループにグループ化する。
【００７２】
さらにバスが走り続けると（図４の丸数字３）、やがて、携帯電話端末１Ａ、１Ｂ、１Ｃは、無線基地局２ＡＣのセルに進入するとともに、無線基地局２ＡＢのセルの外へ出ようとする（図４の丸数字４）。
【００７３】
携帯電話端末１Ａ、１Ｂ、１Ｃは、そのことを検知すると、従来通り、無線基地局２ＡＣへのハンドオーバの制御信号を無線ネットワーク制御装置３Ａに発信する。
【００７４】
まず、携帯電話端末１Ａは、無線基地局２ＡＢのセルを出ようとしていることおよび無線基地局２ＡＣのセルに進入したことを検知すると（図７の＃１４１）、ハンドオーバの制御信号を発信する（＃１４２）。
【００７５】
無線ネットワーク制御装置３Ａにおいて、その制御信号が受信されると（＃３４１）、端末制御部３１のグループ処理要求部３１３は、発信元が現在所属しているグループを、その発信元の端末データ７Ｔ（つまり、携帯電話端末１Ａの端末データ７Ｔ）に基づいて検知し（＃３４２）、その発信元のためのグループの処理を行うようにユーザグループ制御部３２に対して要求する（＃３４３）。この際に、発信元の現在のグループをユーザグループ制御部３２に通知する。
【００７６】
発信元つまり携帯電話端末１Ａがいずれかのグループに所属しているが、タイマ３４がスタートしていない場合は、ユーザグループ制御部３２のタイマ管理部３２４は、タイマ３４をリセットしスタートさせ（＃３４４）、グループデータ制御部３２２は、そのグループのグループデータ７Ｇをグループデータ記憶部３２１から呼び出し端末制御部３１に与える（＃３４５）。
【００７７】
すると、セル変更端末通知部３１４は、ハンドオーバを行う携帯電話端末１の端末ＩＤとして、そのグループデータ７Ｇに示される端末ＩＤ（ここでは、携帯電話端末１Ａ、１Ｂ、１Ｃの各端末ＩＤ）を対向ノード制御部３３に通知する（＃３４６）。
【００７８】
それらの端末ＩＤに係る携帯電話端末１との接続を行うように要求する信号（方路無線接続制御信号）が、対向ノード制御部３３の信号編集処理部３３１によって編集され、信号送信制御部３３２によって無線基地局２ＡＣに送信される（＃３４７）。
【００７９】
無線基地局２ＡＣにおいて、受信信号解析部２０６（図２参照）は、無線ネットワーク制御装置３Ａからの方路無線接続制御信号を解析することによって、無線基地局２ＡＣにハンドオーバしようとしている携帯電話端末１（１Ａ、１Ｂ、１Ｃ）を検知する。すると、それらと接続するためのリソースが捕捉され、接続が可能になった旨を知らせる制御信号が信号編集部２０７によって編集され信号送信部２０３によって無線ネットワーク制御装置３Ａに返信される（＃３４８）。
【００８０】
無線ネットワーク制御装置３Ａにおいて、対向ノード制御部３３の受信信号解析部３３３は無線基地局２ＡＣからの制御信号を解析することによって、携帯電話端末１Ａ、１Ｂ、１Ｃが無線基地局２ＡＣにハンドオーバできることを確認し、その旨を、無線制御ＩＤとともに端末制御部３１およびユーザグループ制御部３２に通知する（＃３４９、＃３５０）。
【００８１】
端末制御部３１の端末データ制御部３１２は、携帯電話端末１Ａの端末データ７Ｔに現在示されるセルＩＤをハンドオーバ先（つまり、無線基地局２ＡＣ）のセルＩＤに書き換えるとともに、その端末データ７Ｔに無線制御ＩＤを追記する（図８の＃３５１）。
【００８２】
ユーザグループ制御部３２のグループデータ制御部３２２は、携帯電話端末１Ａが所属するグループのグループデータ７Ｇに無線制御ＩＤを追記する（＃３５２）。
【００８３】
端末制御部３１の信号送信制御部３１５は、無線基地局２ＡＣにハンドオーバを行うように指令する制御信号が携帯電話端末１Ａに宛てて送信されるように通信モジュールを制御する（＃３５３）。そして、携帯電話端末１Ａは、無線基地局２ＡＢから無線基地局２ＡＣへのハンドオーバを完了する。
【００８４】
携帯電話端末１Ｂも、携帯電話端末１Ａと同様に、無線基地局２ＡＢのセルを出ようとしていることおよび無線基地局２ＡＣのセルに進入したことを検知すると（＃１４３）、ハンドオーバの制御信号を発信する（＃１４４）。
【００８５】
無線ネットワーク制御装置３Ａにおいて、その制御信号が受信されると（＃３５４）、グループ処理要求部３１３は、発信元つまり携帯電話端末１Ｂが現在所属しているグループを、携帯電話端末１Ｂの端末データ７Ｔに基づいて検知し（＃３５５）、その発信元のためのグループの処理を行うようにユーザグループ制御部３２に対して要求する（＃３５６）。
【００８６】
ユーザグループ制御部３２のグループデータ制御部３２２は、グループ処理要求部３１３からの要求があると、タイマ３４が計時中であり、かつ、発信元（つまり、携帯電話端末１Ｂ）が所属するグループのグループデータ７Ｇに無線制御ＩＤが示される場合は、その無線制御ＩＤを端末制御部３１に返答する（＃３５７）。
【００８７】
端末制御部３１の端末データ制御部３１２は、無線制御ＩＤが返答された場合は、携帯電話端末１Ｂの端末データ７Ｔを、携帯電話端末１Ａの端末データ７Ｔと同様に更新する。つまり、現在のセルＩＤをハンドオーバ先である無線基地局２ＡＣのセルＩＤに書き換えるとともに、その無線制御ＩＤを追記する（＃３５８）。
【００８８】
信号送信制御部３１５は、無線基地局２ＡＣにハンドオーバを行うように指令する制御信号が携帯電話端末１Ｂに宛てて送信されるように通信モジュールを制御する（＃３５９）。そして、携帯電話端末１Ｂは、無線基地局２ＡＢから無線基地局２ＡＣへのハンドオーバを完了する。
【００８９】
携帯電話端末１Ｃも、タイマ３４による計時が継続している間に、携帯電話端末１Ｂと同様に、無線基地局２ＡＢのセルを出ようとしていることおよび無線基地局２ＡＣのセルに進入したことを検知すると（＃１４５）、ハンドオーバの制御信号を発信する（＃１４６）。
【００９０】
すると、無線ネットワーク制御装置３Ａおよび無線基地局２ＡＣの各部は、携帯電話端末１Ｂの場合と同様の処理を行う（＃３６０〜＃３６５）。そして、携帯電話端末１Ｃは、無線基地局２ＡＢから無線基地局２ＡＣへのハンドオーバを完了する。
【００９１】
タイマ管理部３２４は、タイマ３４がグループ基準時間Ｔａを計時したことを検知すると、タイマ３４を停止させる（＃３６６）。これ以降に無線基地局２ＡＣにハンドオーバしようとする携帯電話端末１があった場合については、後にで説明する。
【００９２】
このように、グループ化の後、グループに所属する複数台の携帯電話端末１がグループ基準時間Ｔａにハンドオーバする場合は、従来のように携帯電話端末１がハンドオーバを行おうとしている旨を１台ごとにハンドオーバ先の無線基地局２に通知するのではなく、グループの携帯電話端末１すべてがハンドオーバを行おうとしている旨を通知する。
【００９３】
〔既存のグループへの携帯電話端末１の追加〕
図９ないし図１２は既存のグループへの携帯電話端末１の追加の処理の流れの例を説明するフローチャートである。
【００９４】
携帯電話端末１Ａ、１Ｂ、１Ｃを有する乗客を乗せたバスが、あるバス停に向かう。そのバス停は、無線基地局２ＡＣのセルの中に位置する。そのバスがそのバス停に停車するまでには、携帯電話端末１Ａ、１Ｂ、１Ｃは、前に図５〜図８で説明したような手順で、既に無線基地局２ＡＣにハンドオーバされている。
【００９５】
その後、そのバスに乗車するために、ある乗客がそのバス停にやってくると、その乗客が携帯している携帯電話端末１Ｅも、無線基地局２ＡＣのセルに進入したことを検知し（図９の＃１７１）、無線基地局２ＡＣへのハンドオーバの制御信号を無線ネットワーク制御装置３Ａに発信する（＃１７２）。
【００９６】
無線ネットワーク制御装置３Ａにおいて、その制御信号が受信されると（＃３７１）、端末制御部３１のグループ処理要求部３１３は、前述の通り、発信元が現在所属しているグループを、その発信元の端末データ７Ｔ（つまり、携帯電話端末１Ｅの端末データ７Ｔ）に基づいて検知し（＃３７２）、その発信元のためのグループの処理を行うようにユーザグループ制御部３２に対して要求する（＃３７３）。今回は、携帯電話端末１Ｅがいずれのグループにも所属していないことを通知する。
【００９７】
ユーザグループ制御部３２のグループデータ制御部３２２は、携帯電話端末１Ｅが現在いずれのグループにも所属していないが、既にそのセルの無線基地局２（ここでは、無線基地局２ＡＣ）と接続されているグループが存在する場合は、携帯電話端末１Ｅをそのグループに仮登録する（＃３７４）。つまり、携帯電話端末１Ｅの端末ＩＤをそのグループのグループデータ７Ｇに追記する。ただし、携帯電話端末１Ｅが仮登録である旨を付記しておく。
【００９８】
そのグループのグループＩＤが端末制御部３１に通知されると（＃３７５）、図５〜図８の場合と同様に、端末データ制御部３１２は、携帯電話端末１Ｅの端末データ７Ｔを、ハンドオーバ先（つまり、新たな接続先となる無線基地局２ＡＣ）のセルＩＤおよびそのグループＩＤが示されるように、更新する（＃３７６）。そして、それ以降の処理も、図５〜図８の場合と同様に行われる（＃３７７〜＃３８１）。そして、携帯電話端末１Ｅは、無線基地局２ＡＣへのハンドオーバを完了する。
【００９９】
その乗客が乗車し、バスが発車すると、携帯電話端末１Ａ、１Ｂ、１Ｃ、１Ｅは、同一の方向に進む。やがて、携帯電話端末１Ａ、１Ｂ、１Ｃ、１Ｅは、無線基地局２ＡＤのセルに進入するとともに、無線基地局２ＡＣのセルの外へ出ようとする。
【０１００】
携帯電話端末１Ａ、１Ｂ、１Ｃ、１Ｅは、そのことを検知すると、従来通り、無線基地局２ＡＤへのハンドオーバの制御信号を無線ネットワーク制御装置３Ａに発信する。すると、これらの携帯電話端末１を無線基地局２ＡＤにハンドオーバさせるための処理が実行される。
【０１０１】
既に正式にグループ化されている携帯電話端末１Ａ、１Ｂ、１Ｃに関しては、前に図５〜図８で説明した無線基地局２ＡＢから無線基地局２ＡＣへのハンドオーバの場合と同様の手順で、処理が行われる（図１０の＃１７３、＃１７４、＃３８２〜＃３９４、図１１の＃１７５〜＃１７８、＃３９５〜＃３ａ６、図１２の＃３ａ７）。
【０１０２】
今回も、１台目の携帯電話端末１（本例では、携帯電話端末１Ａ）についてグループの処理の要求がユーザグループ制御部３２に対してなされた後（＃３８４）、タイマ３４がリセットしスタートする（＃３８５）。
【０１０３】
一方、そのグループに仮登録されている携帯電話端末１Ｅについても、タイマ管理部３２４がグループ基準時間Ｔａが経過したことを検知するまでにハンドオーバの制御信号が無線ネットワーク制御装置３Ａで受信されれば（＃３ａ８）、携帯電話端末１Ｂ、１Ｃの場合と同様に、無線基地局２ＡＤへのハンドオーバが行われる（＃３ａ９〜＃３ｂ５）。そして、携帯電話端末１Ｅは、そのグループに正式に登録される（＃３ｂ２）。
【０１０４】
〔既存のグループからの携帯電話端末１の離脱〕
図１３および図１４は既存のグループからの携帯電話端末１の離脱のための処理の流れの例を説明するフローチャートである。
【０１０５】
図９〜図１２では、携帯電話端末１Ａ、１Ｂ、１Ｃからなるグループに携帯電話端末１Ｅが追加される場合を説明した。次に、携帯電話端末１Ａ、１Ｂ、１Ｃのうちのいずれかがグループから離脱する場合について説明する。
【０１０６】
図５〜図８の手順で携帯電話端末１Ａ、１Ｂ、１Ｃがグループ化された後、あるバス停にバスが停車する。そのバス停は、無線基地局２ＡＣのセルの中に位置する。図９〜図１２の例では、携帯電話端末１Ｅを有する乗客が乗車する場合を説明したが、ここでは、携帯電話端末１Ａ、１Ｂ、１Ｃのいずれかを有する乗客が下車する場合について、図１３および図１４のフローチャートを参照しながら説明する。
【０１０７】
そのバスがそのバス停に停車するまでに、携帯電話端末１Ａ、１Ｂ、１Ｃは無線基地局２ＡＣへのハンドオーバを完了している。よって、携帯電話端末１Ａ、１Ｂ、１Ｃそれぞれの端末データ７Ｔには、無線基地局２ＡＣのセルＩＤが示されている。また、そのグループのグループデータ７Ｇには、携帯電話端末１Ａ、１Ｂ、１Ｃそれぞれの端末ＩＤが示されている。
【０１０８】
携帯電話端末１Ｃを有する乗客が下車し、バスが発車すると、やがて、携帯電話端末１Ａ、１Ｂは、無線基地局２ＡＤのセルに進入するとともに、無線基地局２ＡＣのセルの外へ出ようとする。
【０１０９】
携帯電話端末１Ａ、１Ｂは、そのことを検知すると、従来通り、無線基地局２ＡＤへのハンドオーバの制御信号を無線ネットワーク制御装置３Ａに発信する（図１３の＃１ｃ１、＃１ｃ２、図１４の＃１ｃ３、＃１ｃ４）。
【０１１０】
無線ネットワーク制御装置３Ａおよび対向ノード（ここでは、無線基地局２ＡＤ）は、前に図７、図８のステップ＃３４１〜＃３５９で説明した手順で、そのグループの携帯電話端末を無線基地局２ＡＤにハンドオーバさせるための処理を行う（＃３ｃ１〜＃３ｅ１）。今回も、１台目の携帯電話端末１（本例では、携帯電話端末１Ａ）についてグループの処理の要求がユーザグループ制御部３２に対してなされた後（＃３ｃ３）、タイマ３４がリセットしスタートする（＃３ｃ４）。ただし、今回は、携帯電話端末１Ａ、１Ｂのみがハンドオーバの制御信号を発信しているので、携帯電話端末１Ａ、１Ｂのみのハンドオーバが完了する。
【０１１１】
一方、携帯電話端末１Ｃは、タイマ３４によってグループ基準時間Ｔａが計測されるまでには（＃３ｅ２）、無線基地局２ＡＤへのハンドオーバの制御信号を発信しない。
【０１１２】
タイマ３４がスタートしてからグループ基準時間Ｔａが経過すると、その旨が端末制御部３１に通知される（＃３ｅ３）。
【０１１３】
端末制御部３１のセル変更端末通知部３１４は、ハンドオーバの制御信号を未送信である携帯電話端末１つまり携帯電話端末１Ｃの端末ＩＤを対向ノード制御部３３に対して通知する（＃３ｅ４）。対向ノード制御部３３の信号編集処理部３３１は携帯電話端末１Ｃのハンドオーバが不要である旨を示す制御信号を編集し、信号送信制御部３３２はそれが無線基地局２ＡＤに送信されるように通信モジュールを制御する（＃３ｅ５）。
【０１１４】
無線基地局２ＡＤにおいて携帯電話端末１Ｃとの接続のためのリソースが開放され、制御信号が返信されてくると（＃３ｅ６）、受信信号解析部３３３はそれを解析することによって、携帯電話端末１Ｃが無線基地局２ＡＤにハンドオーバしないことを確認し、その旨を端末制御部３１に通知する（＃３ｅ７）。
【０１１５】
ユーザグループ制御部３２の同一グループ端末判別部３２３は、そのグループの携帯電話端末１のうち、グループ基準時間Ｔａの間にハンドオーバを行ったものとそうでないものとをそれぞれカウントし、台数が少ない方の携帯電話端末１を、そのグループから離脱したと判別する（＃３ｅ８）。そして、グループデータ制御部３２２は、離脱した携帯電話端末１の端末ＩＤをそのグループのグループデータ７Ｇから削除する（＃３ｅ９）。ここでは、携帯電話端末１Ｃの端末ＩＤを削除する。さらに、携帯電話端末１Ｃの端末データ７ＴからそのグループのグループＩＤを削除する（＃３ｆ１）。
【０１１６】
図１５および図１６は既存のグループからの携帯電話端末１の離脱のための処理の流れの例を説明するフローチャートである。
【０１１７】
図１３および図１４では、バスから下車した乗客の携帯電話端末１よりも引き続き乗車している乗客の携帯電話端末１のほうが先にハンドオーバを行う場合について説明した。しかし、バスから下車した乗客の携帯電話端末１のほうが先にハンドオーバを行う場合がある。ここで、携帯電話端末１Ａを有する乗客が下車し、携帯電話端末１Ａが携帯電話端末１Ｂ、１Ｃよりも先にハンドオーバを行う場合のグループの管理の手順を、図１５および図１６のフローチャートを参照して説明する。
【０１１８】
図５〜図８の手順で携帯電話端末１Ａ、１Ｂ、１Ｃがグループ化された後、あるバス停にバスが停車する。そのバス停は、無線基地局２ＡＣのセルの中に位置する。
【０１１９】
携帯電話端末１Ａ、１Ｂ、１Ｃは既に無線基地局２ＡＣへのハンドオーバを完了している。よって、携帯電話端末１Ａ、１Ｂ、１Ｃそれぞれの端末データ７Ｔには、無線基地局２ＡＣのセルＩＤが示されている。また、そのグループのグループデータ７Ｇには、携帯電話端末１Ａ、１Ｂ、１Ｃそれぞれの端末ＩＤが示されている。
【０１２０】
携帯電話端末１Ａを有する乗客は、バスから下車し、すぐに別の自動車に乗り換えてそのバスとは異なる方向に発進する。そして、携帯電話端末１Ａは、無線基地局２ＡＤのセルに進入するとともに、無線基地局２ＡＣのセルの外へ出ようとする。
【０１２１】
携帯電話端末１Ａは、そのことを検知すると、従来通り、無線基地局２ＡＤへのハンドオーバの制御信号を無線ネットワーク制御装置３Ａに発信する（図１５の＃１ｇ１、＃１ｇ２）。以下、携帯電話端末１Ｂからのハンドオーバの制御信号の発信の有無を除き、図１３、図１４のステップ＃３ｃ１〜＃３ｅ１と同様の処理が、無線ネットワーク制御装置３Ａおよび対向ノード（ここでは、無線基地局２ＡＤ）において実行される（＃３ｇ１〜＃３ｈ４）。これにより、携帯電話端末１Ａのハンドオーバが完了する。今回も、グループの処理の要求がユーザグループ制御部３２に対してなされた後（＃３ｇ３）、タイマ３４がリセットしスタートする（＃３ｇ４）。
【０１２２】
しかし、携帯電話端末１Ｂ、１Ｃは、タイマ３４によってグループ基準時間Ｔａが計測されるまでには（＃３ｅ２）、無線基地局２ＡＤへのハンドオーバの制御信号を発信しない。そこで、図１３、図１４の場合と同様に、対向ノードにおいて捕捉されている携帯電話端末１Ｂ、１Ｃのためのリソースを開放するための処理が行われる（＃３ｈ６〜＃３ｉ１）。
【０１２３】
ユーザグループ制御部３２の同一グループ端末判別部３２３は、ハンドオーバを行った携帯電話端末１とそうでない携帯電話端末１とをそれぞれカウントし、台数が少ない方を、グループから離脱したと判別する（＃３ｉ２）。そして、グループデータ制御部３２２は、離脱した携帯電話端末１（ここでは、携帯電話端末１Ａ）の端末ＩＤをそのグループのグループデータ７Ｇから削除するとともに、グループＩＤを１つ前の状態に戻す（＃３ｉ３）。端末制御部３１の端末データ制御部３１２は、携帯電話端末１Ａの端末データ７ＴからそのグループのグループＩＤを削除する（＃３ｉ４）。
【０１２４】
本実施形態によると、基地局対向送受信装置を乗物ごとに設けることなく、かつ、自律した通信を行うための手段を携帯電話端末１ごとに設けることなく、複数台の携帯電話端末１が同一の無線基地局２に一斉にハンドオーバする際のリソースの捕捉を円滑に行うことができる。しかも、そのための手段を、無線基地局２および無線ネットワーク制御装置３における従来の制御方法を変更するだけで、実現することができる。よって、従来よりも簡単に、複数台の移動機のハンドオーバを支援することができる。
【０１２５】
グループ基準時間Ｔａは、任意に設定することができる。無線ネットワーク制御装置３ごとにグループ基準時間Ｔａの値が異なってもよい。例えば、新幹線のような高速の乗物の通る地域の無線ネットワーク制御装置３のグループ基準時間Ｔａを短めに設定し、スピードをあまり出せない繁華街の無線ネットワーク制御装置３のグループ基準時間Ｔａを長めに設定してもよい。または、グループ化の際に使用するグループ基準時間Ｔａとグループ化後のグループ基準時間Ｔａとを異なるようにしてもよい。
【０１２６】
本実施形態では、無線基地局２は、無線ネットワーク制御装置３からの通知に従って、ハンドオーバを行わない携帯電話端末１のために捕捉（確保）しておいたリソースを開放したが、無線基地局２自身でリソースを捕捉してからの時間を計測し、所定の時間を経過してもハンドオーバして来ない携帯電話端末１があればその携帯電話端末１のためのリソースを開放してもよい。
【０１２７】
図１７は２台の無線ネットワーク制御装置３Ａ、３Ｂを跨いでハンドオーバが行われる場合の例を説明するための図である。
【０１２８】
本実施形態では、同一の無線ネットワーク制御装置３の配下にある一方の無線基地局２から他方の無線基地局２へのハンドオーバを例に説明したが、互いの異なる無線ネットワーク制御装置３の配下にある一方の無線基地局２から他方の無線基地局２へのハンドオーバを行う場合にも、本発明を適用することができる。
【０１２９】
例えば、図１７に示すように、同じグループに所属する３台の携帯電話端末１が無線ネットワーク制御装置３Ａの配下の無線基地局２ＡＢから無線ネットワーク制御装置３Ｂの配下の無線基地局２ＢＡへのハンドオーバを行う際は、無線ネットワーク制御装置３Ａは、対向ノードとして無線ネットワーク制御装置３Ｂを選択する。そして、無線ネットワーク制御装置３Ｂに対して、無線基地局２ＢＡへのハンドオーバのためのリソースの捕捉を要求するとともに、このグループの管理を無線ネットワーク制御装置３Ｂに引き継げばよい。つまり、これらの携帯電話端末１についての無線リンクの要求のメッセージを一括して無線ネットワーク制御装置３Ｂに送信すればよい。
【０１３０】
本実施形態では、ＣＤＭＡ２０００またはＷ−ＣＤＭＡなどの規格に基づく無線通信システムを例に説明したが、本発明は、無線ＬＡＮまたはＰＨＳなど、他の方式の無線通信システムにも、適用可能である。
【０１３１】
本実施形態では、タイマ３４による計時の開始および終了を、グループ処理要求部３１３からの要求があったタイミングで行ったが、他のタイミングで行ってもよい。例えば、携帯電話端末１からのハンドオーバの制御信号が受信されたタイミングで行ってもよい。いずれにせよ、グループ基準時間Ｔａの期間中にハンドオーバを行う携帯電話端末１を特定できればよい。
【０１３２】
その他、携帯電話システム１００、無線基地局２、無線ネットワーク制御装置３、関門移動交換局４の全体または各部の構成、処理内容、処理順序、端末データ７Ｔ、グループデータ７Ｇの構成などは、本発明の趣旨に沿って適宜変更することができる。
【図面の簡単な説明】
【０１３３】
【図１】携帯電話システムの全体的な構成の例を示す図である。
【図２】無線基地局の構成を例を示す図である。
【図３】無線ネットワーク制御装置の構成の例を示す図である。
【図４】携帯電話端末の移動の例を説明する図である。
【図５】新規のグループの設定およびグループ単位のハンドオーバのための処理の流れの例を説明するフローチャートである。
【図６】新規のグループの設定およびグループ単位のハンドオーバのための処理の流れの例を説明するフローチャートである。
【図７】新規のグループの設定およびグループ単位のハンドオーバのための処理の流れの例を説明するフローチャートである。
【図８】新規のグループの設定およびグループ単位のハンドオーバのための処理の流れの例を説明するフローチャートである。
【図９】既存のグループへの携帯電話端末の追加の処理の流れの例を説明するフローチャートである。
【図１０】既存のグループへの携帯電話端末の追加の処理の流れの例を説明するフローチャートである。
【図１１】既存のグループへの携帯電話端末の追加の処理の流れの例を説明するフローチャートである。
【図１２】既存のグループへの携帯電話端末の追加の処理の流れの例を説明するフローチャートである。
【図１３】既存のグループからの携帯電話端末の離脱のための処理の流れの例を説明するフローチャートである。
【図１４】既存のグループからの携帯電話端末の離脱のための処理の流れの例を説明するフローチャートである。
【図１５】既存のグループからの携帯電話端末の離脱のための処理の流れの例を説明するフローチャートである。
【図１６】既存のグループからの携帯電話端末の離脱のための処理の流れの例を説明するフローチャートである。
【図１７】２台の無線ネットワーク制御装置を跨いでハンドオーバが行われる場合の例を説明するための図である。
【符号の説明】
【０１３４】
１  携帯電話端末（移動機）
２  無線基地局
３  無線ネットワーク制御装置
３２２  グループデータ制御部（グループ化処理手段）
３２３  同一グループ端末判別部（グループ化処理手段）
３３２  信号送信制御部（通知手段）
【図１】
2008211359.tif 000003
【図２】
2008211359.tif 000004
【図３】
2008211359.tif 000005
【図４】
2008211359.tif 000006
【図５】
2008211359.tif 000007
【図６】
2008211359.tif 000008
【図７】
2008211359.tif 000009
【図８】
2008211359.tif 000010
【図９】
2008211359.tif 000011
【図１０】
2008211359.tif 000012
【図１１】
2008211359.tif 000013
【図１２】
2008211359.tif 000014
【図１３】
2008211359.tif 000015
【図１４】
2008211359.tif 000016
【図１５】
2008211359.tif 000017
【図１６】
2008211359.tif 000018
【図１７】
2008211359.tif 000019